(57)【特許請求の範囲】
【請求項１】
近距離通信網を介して移動通信端末と接続され、アプリケーションサーバーに要請して受け取ったコンテンツを再生する終端端末と、
近距離通信網を介して前記終端端末と接続され、移動通信網を介してサービスサーバーと接続され、前記終端端末とサービスサーバーとの間のデータの転送を司る移動通信端末と、
移動通信網を介して前記移動通信端末に接続され、移動通信網または有線通信網を介してアプリケーションサーバーと接続され、前記終端端末と移動通信端末との間の接続履歴をチェックし、最適な接続が行える移動通信端末の情報を前記終端端末に提供するか、または、前記終端端末が接続可能な移動通信端末のハードウェア仕様に基づいて、最適な接続が行える移動通信端末の情報を前記終端端末に提供するサービスサーバーと、
を備える、効率よい接続経路の推奨システム。
【請求項２】
移動通信網または有線通信網を介して前記サービスサーバーと接続され、前記終端端末から要請されたコンテンツを提供するアプリケーションサーバー
をさらに備えることを特徴とする請求項１に記載の効率よい接続経路の推奨システム。
【請求項３】
移動通信網または有線通信網を介して前記サービスサーバーと接続され、アプリケーションサーバーから終端端末へとコンテンツが提供された場合に、前記移動通信端末に対して課金を行う課金サーバー
をさらに備えることを特徴とする請求項１に記載の効率よい接続経路の推奨システム。
【請求項４】
移動通信網を介してデータを送受信する通信部と、
前記通信部を介して受信された移動通信端末の情報を管理する移動通信端末管理部と、
前記通信部を介して受信された終端端末の情報を管理する端末管理部と、
前記移動通信端末と前記終端端末との間の通信を中継する近距離通信網の情報を管理する近距離通信網管理部と、
前記移動通信端末の情報、前記終端端末の情報、前記近距離通信網の情報、および前記終端端末と前記移動通信端末との間の接続履歴を記憶する記憶部と、
各構成要素の動作を制御し、前記終端端末が現在接続可能な全ての移動通信端末に対して最適な接続品質を有する移動通信端末を推奨して前記通信部を介して前記終端端末に通知し、前記通信部がアプリケーションサーバーから受け取ったコンテンツを前記移動通信端末に配信するように制御する制御部と、
を備える、効率よい接続経路推奨のためのサービスサーバー。
【請求項５】
前記接続履歴は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を含むことを特徴とする請求項４に記載の効率よい接続経路推奨のためのサービスサーバー。
【請求項６】
前記接続履歴は、さらにデータ転送料を含むことを特徴とする請求項５に記載の効率よい接続経路推奨のためのサービスサーバー。
【請求項７】
前記制御部は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を所定の式に代入して得られる値を比較して、最適な接続品質を有する移動通信端末を推奨することを特徴とする請求項４に記載の効率よい接続経路推奨のためのサービスサーバー。
【請求項８】
前記制御部は、各データに対して重み付け値を付与して比較を行うことを特徴とする請求項７に記載の効率よい接続経路推奨のためのサービスサーバー。
【請求項９】
前記制御部は、さらに最低のデータ転送料を有する移動通信端末を推奨することを特徴とする請求項４に記載の効率よい接続経路推奨のためのサービスサーバー。
【請求項１０】
ユーザーの指令が入力される入力部と、
近距離通信網を介してデータを送受信する通信部と、
コンテンツを再生する再生部と、
各構成要素の動作を制御し、移動通信端末にコンテンツ要請信号を送信し、移動通信端末からコンテンツを受け取るように前記通信部を制御し、サービスサーバーによって推奨された移動通信端末の情報を受信した場合に、入力部を介して入力されたユーザーの指令に基づいて、接続対象となる移動通信端末を切り替える制御部と、
を備える、効率よい接続経路に接続するための終端端末。
【請求項１１】
終端端末と多数の移動通信端末とが近距離通信網を介して接続可能であり、且つ、前記移動通信端末とサービスサーバーとが移動通信網を介して接続可能なシステムによる効率よい接続経路の推奨方法であって、
前記終端端末が前記移動通信端末の何れかひとつを介して前記サービスサーバーに接続するステップと、
前記サービスサーバーが終端端末と前記何れかひとつの移動通信端末との間の接続履歴があるか否かを判断するステップと、
前記接続履歴の判断ステップにおける判断の結果、接続履歴があると判断された場合に、前記サービスサーバーが、現在接続中の移動通信端末への接続品質と、現在接続されてはいないが接続履歴のある他の移動通信端末への接続品質とを比較し、最適な接続品質を有する移動通信端末を推奨して前記終端端末に通知するステップと、
を含む、効率よい接続経路の推奨方法。
【請求項１２】
前記接続品質の比較は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を所定の式に代入して得られる値を比較することを特徴とする請求項１１に記載の効率よい接続経路の推奨方法。
【請求項１３】
前記接続品質の比較は、
各データに対して重み付け値を付与して行うことを特徴とする請求項１２に記載の効率よい接続経路の推奨方法。
【請求項１４】
前記接続品質の比較は、さらにデータ転送料を比較して行うことを特徴とする請求項１１に記載の効率よい接続経路の推奨方法。
【請求項１５】
前記接続履歴の判断ステップにおける判断の結果、接続履歴がないと判断された場合に、前記サービスサーバーが、現在接続中の移動通信端末の他に接続可能な移動通信端末があるか否かを判断するステップと、
当該接続可能な移動通信端末があるか否かを判断するステップにおける判断の結果、接続可能な移動通信端末があると判断された場合に、前記サービスサーバーが、現在接続中の移動通信端末への接続品質と、前記終端端末と接続可能な他の移動通信端末への接続品質とを比較し、最適な接続品質を有する移動通信端末を推奨して前記終端端末に通知するステップへ移行するステップと、
をさらに含むことを特徴とする請求項１１記載の効率よい接続経路の推奨方法。
【請求項１６】
前記判断ステップにおける判断の結果、接続可能な移動通信端末がないと判断された場合に、前記終端端末が現在の接続を維持し続けるステップ
をさらに含むことを特徴とする請求項１５に記載の効率よい接続経路の推奨方法。
【請求項１７】
前記終端端末が、前記終端端末の入力部を介して入力されたユーザーの指令に基づいて前記サービスサーバーによって推奨された移動通信端末に接続するか否かを判断するステップと、
前記判断ステップにおける判断の結果、前記推奨の移動通信端末に接続すると判断された場合に、前記終端端末が推奨の移動通信端末に接続するステップと、
前記サービスサーバーが前記接続履歴を記憶するステップと、
をさらに含むことを特徴とする請求項１５に記載の効率よい接続経路の推奨方法。
【請求項１８】
前記判断ステップにおける判断の結果、前記推奨の移動通信端末に接続しないと判断された場合に、前記終端端末が現在の接続を維持し続け、接続履歴を記憶するステップ
をさらに含むことを特徴とする請求項１７に記載の効率よい接続経路の推奨方法。
【請求項１９】
前記接続履歴は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を含むことを特徴とする請求項１７または１８に記載の効率よい接続経路の推奨方法。
【請求項２０】
前記接続履歴は、さらにデータ転送料を含むことを特徴とする請求項１７または１８に記載の効率よい接続経路の推奨方法。
【請求項２１】
移動通信端末を介した終端端末の接続を許容するステップと、
前記終端端末と移動通信端末との間の接続履歴があるか否かを判断するステップと、
前記接続履歴の判断ステップにおける判断の結果、接続履歴があると判断された場合に、接続履歴を呼び出すステップと、
前記終端端末が接続可能な移動通信端末のうち、現在接続中の移動通信端末への接続品質と現在接続されていないが接続履歴のある他の移動通信端末への接続品質を比較し、最適な接続品質を有する移動通信端末を推奨して前記終端端末に通知するステップと、
を含む、サービスサーバーによる効率よい接続経路の推奨方法。
【請求項２２】
前記接続品質の比較は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を所定の式に代入して得られる値を比較することを特徴とする請求項２１に記載のサービスサーバーによる効率よい接続経路の推奨方法。
【請求項２３】
前記接続品質の比較は、各データに対して重み付け値を付与して行うことを特徴とする請求項２２に記載のサービスサーバーによる効率よい接続経路の推奨方法。
【請求項２４】
前記接続品質の比較は、さらにデータ転送料を比較して行うことを特徴とする請求項２２に記載のサービスサーバーによる効率よい接続経路の推奨方法。
【請求項２５】
前記接続履歴の判断ステップにおける判断の結果、接続履歴がないと判断された場合に、現在接続中の移動通信端末の他に接続可能な移動通信端末があるか否かを判断するステップと、
前記判断ステップにおける判断の結果、接続可能な移動通信端末があると判断された場合に、前記サービスサーバーが、現在接続中の移動通信端末への接続品質と、前記終端端末と接続可能な他の移動通信端末への接続品質とを比較し、最適な接続品質を有する移動通信端末を推奨して前記終端端末に通知するステップへ移行するステップと、
をさらに含むことを特徴とする請求項２２に記載のサービスサーバーによる効率よい接続経路の推奨方法。
【請求項２６】
前記判断ステップにおける判断の結果、接続可能な移動通信端末がないと判断された場合に、前記終端端末が現在の接続を維持し続けるステップ
をさらに含むことを特徴とする請求項２５に記載のサービスサーバーによる効率よい接続経路の推奨方法。
【請求項２７】
前記終端端末が前記サービスサーバーによって推奨された移動通信端末に接続するか否かを判断するステップと、
前記判断ステップにおける判断の結果、推奨の移動通信端末に接続すると判断された場合に、前記終端端末と推奨の移動通信端末との間の接続を許容するステップと、
前記接続履歴を記憶するステップと、
をさらに含むことを特徴とする請求項２２に記載のサービスサーバーによる効率よい接続経路の推奨方法。
【請求項２８】
前記判断ステップにおける判断の結果、推奨の移動通信端末に接続しないと判断された場合に、前記終端端末が現在の接続を維持し続け、接続履歴を記憶するステップ
をさらに含むことを特徴とする請求項２７に記載のサービスサーバーによる効率よい接続経路の推奨方法。
【請求項２９】
前記接続履歴は、
移動通信端末制御部の処理速度と、
移動通信端末制御部が終端端末とサービスサーバーとの間の接続のために利用する制御部の占有率と、
終端端末とサービスサーバーとの間のデータの転送速度と、
終端端末とサービスサーバーとの間のデータの転送失敗率と、
を含むことを特徴とする請求項２７または２８に記載のサービスサーバーによる効率よい接続経路の推奨方法。
【請求項３０】
前記接続履歴は、さらにデータ転送料を含むことを特徴とする請求項２７または２８に記載のサービスサーバーによる効率よい接続経路の推奨方法。
【請求項３１】
近距離通信網を用いて移動通信端末を介してサービスサーバーに接続するステップと、
前記サービスサーバーから推奨の接続経路を受信するステップと、
終端端末の入力部を介して入力されたユーザーの指令に基づいて前記終端端末が接続経路を切り替えるか否かを判断するステップと、
前記判断ステップにおける判断の結果、接続経路を切り替えると判断された場合に、現在の接続を解放し、前記推奨の接続経路による移動通信端末に接続経路を切り替えるステップと、
を含む、終端端末による効率よい接続経路の接続方法。
【請求項３２】
前記判断ステップにおける判断の結果、接続経路を切り替えないと判断された場合に、現在の接続を維持し続けるステップ
をさらに含むことを特徴とする請求項３１に記載の終端端末による効率よい接続経路の接続方法。
【請求項３３】
請求項２２から３０のいずれかに記載のサービスサーバーによる効率よい接続経路の推奨方法をプログラムとして記憶した記憶媒体。
【請求項３４】
請求項３１または３２に記載の終端端末による効率よい接続経路の接続方法をプログラムとして記憶した記憶媒体。
【発明の詳細な説明】
【技術分野】
【０００１】
本発明は、効率よい接続のための推奨システム、推奨方法、サービスサーバー、終端端末、接続方法および記憶媒体に係り、さらに詳しくは、移動通信端末と近距離無線通信網を用いて接続される終端端末が２以上の移動通信端末を介してサービスサーバーに接続可能である場合に、最適な接続が行える移動通信端末を介してサービスを利用できるようにする技術に関する。
【背景技術】
【０００２】
最近の情報通信技術の発展には目を見張るものがあり、これに伴い、文書、イメージおよび動画など（以下、説明の便宜のために、特に言及のない限り、「文書、イメージおよび動画など」は、「コンテンツ」と略称する。）を再生可能なＭＰ３（ＭＰＥＧオーディオレイヤー）プレーヤー、パーソナルマルチメディアプレーヤー（ＰＭＰ：Ｐｅｒｓｏｎａｌ Ｍｕｌｔｉｍｅｄｉａ Ｐｌａｙｅｒ）、ウルトラモバイルパソコン（ＵＭＰＣ：Ｕｌｔｒａ Ｍｏｂｉｌｅ Ｐｅｒｓｏｎａｌ Ｃｏｍｐｕｔｅｒ）などの様々な終端端末が用いられている。この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００３】
上述した不都合を解消するために、コンテンツ再生装置にブルーテゥース（登録商標）、ウルトラワイドバンド（ＵＷＢ：Ｕｌｔｒａ Ｗｉｄｅ Ｂａｎｄ）などの近距離無線通信網に接続可能な通信手段を付加し、終端端末と移動通信端末との間を近距離通信網を介して接続する技術が提案されている。一方、終端端末が接続可能な移動通信端末が多数存在する場合に、終端端末は、やむを得ず移動通信端末のうちのいずれかを選択しなければならない。この場合に、ユーザーは、移動通信端末のハードウェア仕様や転送品質などを確認することが決して容易ではないため、単に接続状態が良好であるか、または、最初に接続された移動通信端末に終端端末を接続して使用することとなる。このとき、移動通信端末のハードウェア仕様が低いか、あるいは、データ転送料が高価な場合には正常的なサービスを受けることができないといった不都合がある。
【発明の概要】
【発明が解決しようとする課題】
【０００４】
本発明は上述した従来の技術による不都合を解消するためになされたものであり、その目的は、最適な接続品質を有する移動通信端末を選択して接続可能な技術の提供を目的とする。
【課題を解決するための手段】
【０００５】
上述した目的を達成するために、本発明の一実施形態に係る効率よい接続経路の推奨システムは、近距離通信網を介して移動通信端末と接続され、アプリケーションサーバーに要請して受け取ったコンテンツを再生する端末と、近距離通信網を介して前記終端端末と接続され、移動通信網を介してサービスサーバーと接続され、前記終端端末とサービスサーバーとの間のデータの転送を司る移動通信端末と、移動通信網を介して前記移動通信端末に接続され、移動通信網または有線通信網を介してアプリケーションサーバーと接続され、前記終端端末と移動通信端末との間の接続履歴をチェックし、最適な接続が行える移動通信端末の情報を前記終端端末に提供するか、または、前記終端端末が接続可能な移動通信端末のハードウェア仕様に基づいて、最適な接続が行える移動通信端末の情報を前記終端端末に提供するサービスサーバーと、を備える。
【０００６】
前記効率よい接続経路の推奨システムは、移動通信網または有線通信網を介して前記サービスサーバーと接続され、前記終端端末から要請されたコンテンツを提供するアプリケーションサーバーをさらに備えていてもよい。
【０００７】
また、前記効率よい接続経路の推奨システムは、移動通信網または有線通信網を介して前記サービスサーバーと接続され、アプリケーションサーバーから終端端末へとコンテンツが提供された場合に、前記移動通信端末に対して課金を行う課金サーバーをさらに備えていてもよい。
【０００８】
上述した目的を達成するために、本発明の他の実施形態に係る効率よい接続経路の推奨方法は、終端端末と多数の移動通信端末とが近距離通信網を介して接続可能であり、且つ、前記移動通信端末とサービスサーバーとが移動通信網を介して接続可能なシステムにおいて、前記終端端末がある前記移動通信端末を介して前記サービスサーバーに接続するステップと、前記サービスサーバーが終端端末と移動通信端末との間の接続履歴があるか否かを判断するステップと、前記接続履歴の判断ステップにおける判断の結果、接続履歴があると判断された場合に、前記サービスサーバーが、現在接続中の移動通信端末への接続品質と、接続履歴のある移動通信端末への接続品質とを比較し、最適な接続品質を有する移動通信端末を推奨して前記終端端末に通知するステップと、を含む。
【０００９】
前記効率よい接続経路の推奨方法において、前記接続品質の比較は、移動通信端末制御部の処理速度と、移動通信端末制御部が終端端末とサービスサーバーとの間の接続のために利用する制御部の占有率と、終端端末とサービスサーバーとの間のデータの転送速度、および終端端末とサービスサーバーとの間のデータの転送失敗を含むデータを比較して行う。
【００１０】
また、前記効率よい接続経路の推奨方法において、前記接続品質の比較は、各データに対して重み付け値を付与して行ってもよい。
【００１１】
さらに、前記効率よい接続経路の推奨方法において、前記接続品質の比較は、さらにデータ転送料を比較して行ってもよい。
【００１２】
さらに、前記効率よい接続経路の推奨方法において、前記接続履歴の判断ステップにおける判断の結果、接続履歴がないと判断された場合に、前記サービスサーバーが、現在接続中の移動通信端末の他に接続可能な移動通信端末があるか否かを判断するステップと、前記判断ステップにおける判断の結果、接続可能な移動通信端末があると判断された場合に、前記サービスサーバーが、現在接続中の移動通信端末への接続品質と、接続履歴のある移動通信端末への接続品質とを比較し、最適な接続品質を有する移動通信端末を推奨して前記終端端末に通知するステップへ移行するステップと、をさらに含んでいてもよい。
【００１３】
さらに、前記効率よい接続経路の推奨方法は、前記判断ステップにおける判断の結果、接続可能な移動通信端末がないと判断された場合に、前記終端端末が現在の接続を維持し続けるステップをさらに含んでいてもよい。
【００１４】
さらに、前記効率よい接続経路の推奨方法は、前記終端端末が前記サービスサーバーによって推奨された移動通信端末に接続するか否かを判断するステップと、前記判断ステップにおける判断の結果、前記推奨の移動通信端末に接続すると判断された場合に、前記終端端末が推奨の移動通信端末に接続するステップと、前記サービスサーバーが前記接続履歴を記憶するステップと、をさらに含んでいてもよい。
【００１５】
さらに、前記効率よい接続経路の推奨方法は、前記判断ステップにおける判断の結果、前記推奨の移動通信端末に接続しないと判断された場合に、前記終端端末が現在の接続を維持し続け、接続履歴を記憶するステップをさらに含んでいてもよい。
【００１６】
さらに、前記効率よい接続経路の推奨方法において、前記接続履歴は、移動通信端末制御部の処理速度と、移動通信端末制御部が終端端末とサービスサーバーとの間の接続のために利用する制御部の占有率と、終端端末とサービスサーバーとの間のデータの転送速度と、終端端末とサービスサーバーとの間のデータの転送失敗率と、を含んでいてもよい。
【００１７】
さらに、前記効率よい接続経路の推奨方法において、前記接続履歴は、さらにデータ転送料を含んでいてもよい。
【００１８】
上述した目的を達成するために、本発明のさらに他の実施形態に係る効率よい接続経路推奨のためのサービスサーバーは、移動通信網を介してデータを送受信する通信部と、前記通信部を介して受信された移動通信端末の情報を管理する移動通信端末管理部と、前記通信部を介して受信された端末情報を管理する端末管理部と、前記移動通信端末と終端端末との間の通信を中継する近距離通信網の情報を管理する近距離通信網管理部と、前記移動通信端末の情報、終端端末の情報、近距離通信網の情報、および前記終端端末と移動通信端末との間の接続履歴を記憶する記憶部と、各構成要素の動作を制御し、前記終端端末が現在接続可能な全ての移動通信端末に対して最適な接続品質を有する移動通信端末を推奨して前記通信部を介して端末に通知し、前記通信部がアプリケーションサーバーから受け取ったコンテンツを前記移動通信端末に配信するように制御する制御部と、を備える。
【００１９】
前記効率よい接続経路推奨のためのサービスサーバーにおいて、前記接続履歴は、移動通信端末制御部の処理速度と、移動通信端末制御部が終端端末とサービスサーバーとの間の接続のために利用する制御部の占有率と、終端端末とサービスサーバーとの間のデータの転送速度と、終端端末とサービスサーバーとの間のデータの転送失敗率と、を含んでいてもよい。
【００２０】
また、前記効率よい接続経路推奨のためのサービスサーバーにおいて、前記接続履歴は、さらにデータ転送料を含んでいてもよい。
【００２１】
さらに、前記効率よい接続経路推奨のためのサービスサーバーにおいて、前記制御部は、移動通信端末制御部の処理速度と、移動通信端末制御部が終端端末とサービスサーバーとの間の接続のために利用する制御部の占有率と、終端端末とサービスサーバーとの間のデータの転送速度と、終端端末とサービスサーバーとの間のデータの転送失敗率と、を含むデータを比較して、最適な接続品質を有する移動通信端末を推奨してもよい。
【００２２】
前記効率よい接続経路推奨のためのサービスサーバーにおいて、前記制御部は、各データに対して重み付け値を付与して比較を行ってもよい。
【００２３】
前記効率よい接続経路推奨のためのサービスサーバーにおいて、前記制御部は、さらに最低のデータ転送料を有する移動通信端末を推奨してもよい。
【００２４】
上述した目的を達成するために、本発明のさらに他の実施形態に係るサービスサーバーによる効率よい接続経路の推奨方法は、移動通信端末を介した終端端末の接続を許容するステップと、前記終端端末と移動通信端末との間の接続履歴があるか否かを判断するステップと、前記接続履歴の判断ステップにおける判断の結果、接続履歴があると判断された場合に、接続履歴を呼び出すステップと、前記終端端末が接続可能な移動通信端末のうち、接続履歴のある移動通信端末への接続品質を比較し、最適な接続品質を有する移動通信端末を推奨して前記終端端末に通知するステップと、を含む。
【００２５】
前記サービスサーバーによる効率よい接続経路の推奨方法において、前記接続品質の比較は、移動通信端末制御部の処理速度と、移動通信端末制御部が終端端末とサービスサーバーとの間の接続のために利用する制御部の占有率と、終端端末とサービスサーバーとの間のデータの転送速度と、終端端末とサービスサーバーとの間のデータの転送失敗率と、を含むデータを比較して行ってもよい。
【００２６】
前記サービスサーバーによる効率よい接続経路の推奨方法において、前記接続品質の比較は、各データに対して重み付け値を付与して行ってもよい。
【００２７】
前記サービスサーバーによる効率よい接続経路の推奨方法において、前記接続品質の比較は、さらにデータ転送料を比較して行ってもよい。
【００２８】
前記サービスサーバーによる効率よい接続経路の推奨方法において、前記接続履歴の判断ステップにおける判断の結果、接続履歴がないと判断された場合に、現在接続中の移動通信端末の他に接続可能な移動通信端末があるか否かを判断するステップと、前記判断ステップにおける判断の結果、接続可能な移動通信端末があると判断された場合に、現在接続中の移動通信端末への接続品質と、接続履歴のある移動通信端末への接続品質とを比較し、最適な接続品質を有する移動通信端末を推奨して前記終端端末に通知するステップへ移行するステップと、をさらに含んでいてもよい。
【００２９】
前記サービスサーバーによる効率よい接続経路の推奨方法において、前記判断ステップにおける判断の結果、接続可能な移動通信端末がないと判断された場合に、前記終端端末が現在の接続を維持し続けるステップをさらに含んでいてもよい。
【００３０】
前記サービスサーバーによる効率よい接続経路の推奨方法は、前記終端端末が前記サービスサーバーによって推奨された移動通信端末に接続するか否かを判断するステップと、前記判断ステップにおける判断の結果、推奨の移動通信端末に接続すると判断された場合に、前記終端端末と推奨の移動通信端末との間の接続を許容するステップと、前記接続履歴を記憶するステップと、をさらに含んでいてもよい。
【００３１】
前記サービスサーバーによる効率よい接続経路の推奨方法において、前記判断ステップにおける判断の結果、推奨の移動通信端末に接続しないと判断された場合に、前記終端端末が現在の接続を維持し続け、接続履歴を記憶するステップをさらに含んでいてもよい。
【００３２】
前記サービスサーバーによる効率よい接続経路の推奨方法において、前記接続履歴は、移動通信端末制御部の処理速度と、移動通信端末制御部が終端端末とサービスサーバーとの間の接続のために利用する制御部の占有率と、終端端末とサービスサーバーとの間のデータの転送速度と、終端端末とサービスサーバーとの間のデータの転送失敗率と、を含んでいてもよい。
【００３３】
前記サービスサーバーによる効率よい接続経路の推奨方法において、前記接続履歴は、さらにデータ転送料を含んでいてもよい。
【００３４】
上述した目的を達成するために、本発明のさらに他の実施形態に係る記憶媒体は、上述したサービスサーバーによる効率よい接続経路の推奨方法をプログラムとして記憶する。
【００３５】
上述した目的を達成するために、本発明のさらに他の実施形態に係る効率よい接続経路に接続するための端末は、ユーザーの指令が入力される入力部と、近距離通信網を介してデータを送受信する通信部と、コンテンツを再生する再生部と、各構成要素の動作を制御し、移動通信端末にコンテンツ要請信号を送信し、移動通信端末からコンテンツを受け取るように前記通信部を制御し、サービスサーバーによって推奨された移動通信端末の情報を受信した場合に、入力部を介して入力されたユーザーの指令に基づいて、接続対象となる移動通信端末を切り替える制御部と、を備える。
【００３６】
上述した目的を達成するために、本発明のさらに他の実施形態に係る端末による効率よい接続経路の接続方法は、近距離通信網を用いて移動通信端末を介してサービスサーバーに接続するステップと、前記サービスサーバーから推奨の接続経路を受信するステップと、接続経路を切り替えるか否かを判断するステップと、前記判断ステップにおける判断の結果、接続経路を切り替えると判断された場合に、現在の接続を解放し、前記推奨の接続経路による移動通信端末に接続経路を切り替えるステップと、を含む。
【００３７】
前記終端端末による効率よい接続経路の接続方法において、前記判断ステップにおける判断の結果、接続経路を切り替えないと判断された場合に、現在の接続を維持し続けるステップをさらに含んでいてもよい。
【００３８】
上述した目的を達成するために、本発明のさらに他の実施形態に係る記憶媒体は、上述した端末による効率よい接続経路の接続方法をプログラムとして記憶する。
【図面の簡単な説明】
【００３９】
【図１】本発明の実施形態に係る推奨システムのブロック図である。
【図２】図１におけるサービスサーバーの詳細ブロック図である。
【図３】図１における第１の移動通信端末の詳細ブロック図である。
【図４】図１における端末の詳細ブロック図である。
【図５】本発明の実施形態に係る推奨方法のフローチャートである。
【図６】本発明の実施形態に係るサービスサーバーによる推奨方法のフローチャートである。
【図７】本発明の実施形態に係る接続方法のフローチャートである。
【図８】本発明のための初期設定過程を示すフローチャートである。
【発明を実施するための形態】
【００４０】
以下、添付図面に基づき、本発明の実施形態を説明する。
以下、本発明を説明するに当たって、関連された公知機能または構成に関する具体的な説明が本発明の要旨を余計に曖昧にする虞があると認められる場合にはその詳細な説明は省略する。なお、後述する用語は本発明における機能を考慮して設定された用語であり、これらの用語は製品を生産する生産者の意図または慣例によって異なり、用語の定義は本明細書の全般に亘っての内容に基づいて下されるべきである。
【００４１】
まず、図１、図３および図８に基づき、本発明の実施形態に係る効率よい接続経路の推奨システムを説明する。
【００４２】
図１は、本発明の実施形態に係る推奨システムのブロック図であり、図３は、図１における第１の移動通信端末の詳細ブロック図であり、図８は、本発明のための初期設定過程を示すフローチャートである。
【００４３】
図１に示すように、本実施形態に係る効率よい接続経路の推奨システム１００（以下、説明の便宜のために、特に言及のない限り、「効率よい接続経路の推奨システム」は、「推奨システム」と略称する。）には、有線通信網１０１および／または移動通信網１０２を介してサービスサーバー１１０、アプリケーションサーバー１２０および課金サーバー１３０が接続され、移動通信網１０２を介してサービスサーバー１１０および移動通信端末１４０、１５０、１６０が接続され、近距離通信網１０３を介して移動通信端末１４０、１５０、１６０および終端端末１７０が接続されている。このとき、近距離通信網１０３としては、無線ＬＡＮ、ブルーテゥース、ＵＷＢなどが使用可能である。なお、アプリケーションサーバー１２０および／または課金サーバー１３０は、サービスサーバー１１０の構成要素として含まれていてもよい。
【００４４】
ここで、同推奨システム１００は、効率よい接続経路推奨のために、図８に示す初期設定過程を経ることとなる。
【００４５】
ステップ１において、終端端末１７０は、サービス利用のために、サービスサーバー１１０に接続されたゲートウェイ役割を果たす移動通信端末を検索する（ステップＳ１０）。
【００４６】
ステップ２において、終端端末１７０は、第１のステップにおいて検索された移動通信端末にサービスを要請する。このとき、終端端末は、サービス利用のためのアカウント情報（ＩＤ）などを一緒に送信する（Ｓ２０）。
【００４７】
ステップ３において、移動通信端末は、終端端末からサービス要請を受けると、終端端末１７０がサービスを利用できるか否かを判断する（Ｓ３０）。
【００４８】
ステップ４において、ステップ３における判断の結果、終端端末１７０がサービスを利用可能であると判断された場合に、移動通信端末は終端端末１７０にサービスを利用可能である旨の認証メッセージを送信する（Ｓ４０）。これに対し、ステップ３における判断の結果、終端端末１７０がサービスを利用不可であると判断された場合に、移動通信端末は終端端末にサービスが利用不可である旨のメッセージを送信し、前記初期設定過程を終了する。
【００４９】
ステップ５において、終端端末１７０は、自分のアカウント情報（ＩＤ）を送信する（Ｓ５０）。
【００５０】
ステップ６において、移動通信端末は、終端端末１７０から送信されるアカウント情報のフォーマットが、サービスサーバーから発給されたものと一致するか否かをチェックし、アカウント情報のフォーマットがサービスサーバーから発給されたものと一致する場合に、終端端末１７０にサービスが利用可能である旨の認証メッセージを送信する（Ｓ６０、Ｓ７０）。これに対し、アカウント情報のフォーマットがサービスサーバーから発給されたものと一致しない場合に、移動通信端末は終端端末にサービスが利用不可である旨のメッセージを送信し、前記初期設定過程を終了する。
【００５１】
ステップ７において、移動通信端末は、サービスサーバー１１０に、自分および終端端末１７０の認証情報およびアカウント情報（ＩＤ）を送信する（Ｓ８０）。
【００５２】
ステップ８において、サービスサーバー１１０は、アカウント情報をチェックしてサービスの利用可否を判断する（Ｓ９０）。
【００５３】
ステップ９において、前記判断ステップにおける判断の結果、移動通信端末および終端端末１７０がいずれも使用可能であると判断された場合に、サービスサーバー１００はこれを終端端末に報知してサービスを利用するようにする（Ｓ９５）。
【００５４】
終端端末１７０は、アプリケーションサーバー１２０に要請して受け取ったコンテンツを再生する。ここで、終端端末１７０としては、近距離通信網１０３を用いた接続のための通信部を有するＭＰ３プレーヤー、ＰＭＰ、ＵＭＰＣなどが使用可能である。
【００５５】
移動通信端末１４０、１５０、１６０は、終端端末１７０とサービスサーバー１１０との間のデータの転送を司る。以下、図３に基づき、移動通信端末１４０の構成を説明する。第１の通信部１４１は、移動通信網１０２を介してデータを送受信する。第２の通信部１４２は、近距離通信網１０３を介してデータを送受信する。様々な近距離通信網の種類に対応するために、第２の通信部１４２は、２以上の近距離通信網通信規格を有する。終端端末管理部１４３は、終端端末の情報を記憶する。制御部１４４は、各構成要素の動作を制御する。記憶部１４５は、終端端末の情報を記憶する。
【００５６】
サービスサーバー１１０は、終端端末１７０が接続可能な移動通信端末１４０、１５０、１６０の接続履歴またはハードウェア仕様に基づいて、最適な接続が行える移動通信端末の情報を終端端末１７０に提供する。すなわち、サービスサーバー１１０は、終端端末１７０が特定の移動通信端末と接続された履歴（ヒストリー）が存在する場合に、この履歴に基づき、最適な速度や効率を考慮して移動通信端末の情報を提供することができ、このような履歴がない場合には、移動通信端末のハードウェア仕様が最適な接続に重要な基盤となるため、これを比較して最適な移動通信端末を推奨することができる。このために、サービスサーバー１１０は、終端端末１７０のハードウェア仕様情報、移動通信端末１４０、１５０、１６０のハードウェア仕様情報および終端端末と特定の移動通信端末との間の接続履歴がある場合に、この履歴情報を記憶する。
【００５７】
アプリケーションサーバー１２０は、終端端末１７０から要請されたコンテンツを提供する。
【００５８】
課金サーバー１３０は、アプリケーションサーバー１２０から終端端末１７０にコンテンツが提供された場合に、移動通信端末に対して課金を行う。
【００５９】
以下、図５に基づき、本発明の実施形態に係る効率よい接続経路の推奨方法を説明する。
【００６０】
図５は、本発明の実施形態に係る推奨方法のフローチャートである。
図５に示すように、本実施形態に係る効率よい接続経路の推奨方法（以下、説明の便宜のために、特に言及のない限り、「効率よい接続経路の推奨方法」は、「推奨方法」と略称する。）は、終端端末と多数の移動通信端末とが近距離通信網を介して接続可能であり、且つ、移動通信端末とサービスサーバーとが移動通信網を介して接続可能なシステムに適用される。
【００６１】
ステップ１において、終端端末がある移動通信端末を介してサービスサーバーに接続する（Ｓ１００）。
【００６２】
ステップ２において、サービスサーバーが、終端端末と移動通信端末との間の接続履歴があるか否かを判断する（Ｓ１１０）。このとき、好ましくは、接続履歴は、終端端末と移動通信端末との間の接続履歴がある場合にはこのときの接続状態情報、移動通信端末制御部の処理速度、移動通信端末制御部が終端端末とサービスサーバーとの間の接続のために利用する制御部の占有率、終端端末とサービスサーバーとの間のデータの転送速度、終端端末とサービスサーバーとの間のデータの転送失敗率およびデータ転送料を含む。例えば、接続履歴は、下記表１に示す情報を含む。
【００６３】
【表１】
0005466240.tif 000002
【００６４】
上記表１から明らかなように、移動通信端末１は、終端端末との過去の接続履歴があり、このときの点数は８８点であり、移動通信端末２は過去の接続履歴がない。また、移動通信端末１は、ハードウェア仕様点数が８３点であるのに対し、移動通信端末２は８５点であることが分かる。このとき、点数の計算は、各項目および重み付け値を考慮して行われ、状況に応じて計算法が修正・変更されることもある点に留意されたい。ユーザーがハードウェア仕様のみを考慮して接続経路を選択しようとする場合には、移動通信端末２が終端端末と接続されるはずであり、ユーザーが過去の接続履歴及びハードウェア仕様を全て考慮して選択しようとする場合には、移動通信端末１が終端端末と接続されるはずである。
【００６５】
ステップ３において、接続履歴の判断ステップにおける判断の結果、接続履歴があると判断された場合に、サービスサーバーが現在接続中の移動通信端末への接続品質と、接続履歴のある移動通信端末への接続品質とを比較し、最適な接続品質を有する移動通信端末を推奨して端末に通知する（Ｓ１２０）。ここで、接続品質の比較は、接続履歴に含まれている各データを比較して行い、このとき、各データには重み付け値が付与されることが好ましい。重み付け値は、コンテンツの種類、使用時間、コンテンツの容量などに応じて様々に調節可能である。また、移動通信端末の推奨に際しては、最適な接続品質を有する移動通信端末と、最低のデータ転送料を有する移動通信端末とが複数推奨されてもよい。例えば、ユーザーがデータの転送速度が重要視されるコンテンツ（交通情報、競売入札など）を使用しようとする場合には、最適な接続品質を有する移動通信端末に接続し、データの転送料が重要視されるコンテンツ（大容量の映画ファイルなど）を使用しようとする場合には、最低のデータの転送料を有する移動通信端末に接続する。
【００６６】
ステップ４において、接続履歴の判断ステップにおける判断の結果、接続履歴がないと判断された場合に、サービスサーバーが現在接続中の移動通信端末の他に接続可能な移動通信端末があるか否かを判断する（Ｓ１１２）。
【００６７】
ステップ５において、ステップ４における判断の結果、接続可能な移動通信端末があると判断された場合に、サービスサーバーが、現在接続中の移動通信端末への接続品質と、接続履歴のある移動通信端末への接続品質とを比較し、最適な接続品質を有する移動通信端末を推奨して端末に通知するステップ（Ｓ１２０）へ移行する。
【００６８】
ステップ６、ステップ４における判断の結果、接続可能な移動通信端末がないと判断された場合に、終端端末が現在の接続を維持し続ける（Ｓ１１４）。
【００６９】
ステップ７において、終端端末がサービスサーバーによって推奨された移動通信端末に接続するか否かを判断する（Ｓ１３０）。この判断が行われる理由は、ユーザーによって推奨された移動通信端末と現在接続中の移動通信端末との間の品質差や料金差がないかあまり無い場合には、ユーザーが推奨の移動通信端末に接続することを希望しない場合があるためである。
【００７０】
ステップ８、ステップ７における判断の結果、推奨の移動通信端末に接続すると判断された場合に、終端端末が推奨の移動通信端末に接続する（Ｓ１４０）。このとき、終端端末は、ステップ１における移動通信端末との接続を解放した後にステップ８を行うことに留意されたい。
【００７１】
ステップ９において、サービスサーバーが接続履歴を記憶する（Ｓ１５０）。ここで、記憶された接続履歴は今後の推奨のために用いられる。
【００７２】
ステップ１０、ステップ７における判断の結果、推奨の移動通信端末に接続しないと判断された場合に、終端端末が現在の接続を維持し続け、接続履歴を記憶する（Ｓ１１４）。
【００７３】
上述したステップが行われた後には、終端端末がアプリケーションサーバーからコンテンツをダウンロードして再生し、課金サーバーによって、接続に用いられた移動通信端末への課金が行われる。このようなステップは周知の技術であるため、その詳細な説明は省略する。さらに、終端端末、移動通信端末およびサービスサーバーの接続には認証ステップが行われることもあり、これも周知の技術であるため、その詳細な説明は省略する。
【００７４】
以下、図２に基づき、本発明の実施形態に係る効率よい接続経路推奨のためのサービスサーバーを説明する。
【００７５】
図２は、図１におけるサービスサーバーの詳細ブロック図である。
図２に示すように、本実施形態に係る効率よい接続経路推奨のためのサービスサーバー１１０（以下、説明の便宜のために、特に言及のない限り、「効率よい接続経路推奨のためのサービスサーバー」は、「サービスサーバー」と略称する。）における通信部１１１は、移動通信網を介してデータを送受信する。
【００７６】
移動通信端末管理部１１２は、通信部１１１を介して受信された移動通信端末の情報を管理する。このとき、移動通信端末の情報には、移動通信端末の機種、ハードウェア仕様、移動通信端末のユーザー情報、使用料金制の種類などが含まれる。
【００７７】
端末管理部１１３は、通信部１１１を介して受信された端末情報を管理する。このとき、端末情報には、終端端末の機種、ハードウェア仕様、終端端末固有のアカウントなどが含まれうる。
【００７８】
近距離通信網管理部１１４は、移動通信端末と終端端末との間の通信を中継する近距離通信網の情報を管理する。このとき、近距離通信網の情報には、通信網の規格、ログインが必要となる場合にはログインアカウントなどが含まれる。
【００７９】
記憶部１１６は、移動通信端末の情報、終端端末の情報、近距離通信網の情報および終端端末と移動通信端末との間の接続履歴を記憶する。ここで、接続履歴は、上述した推奨システムに用いられた接続履歴と同じものであってもよい。
【００８０】
制御部１１５は、各構成要素の動作を制御し、終端端末が現在接続可能な全ての移動通信端末に対して最適な接続品質を有する移動通信端末を推奨して通信部１１１を介して端末に通知し、通信部１１１がアプリケーションサーバーから受け取ったコンテンツを移動通信端末に配信するように制御する。制御部１１５は、好ましくは、続履歴を構成する各データに重み付け値を付与して接続品質を比較する。
【００８１】
以下、図６に基づき、本発明の実施形態に係るサービスサーバーによる効率よい接続経路の推奨方法を説明する。
【００８２】
図６は、本発明の実施形態に係るサービスサーバーによる推奨方法のフローチャートである。
【００８３】
図６に示すように、本実施形態に係るサービスサーバーによる効率よい接続経路の推奨方法（以下、説明の便宜のために、特に言及のない限り、「サービスサーバーによる効率よい接続経路の推奨方法」は、「サービスサーバーによる推奨方法」と略称する。）は、ステップ１において、移動通信端末を介した終端端末の接続を許容する（Ｓ２００）。
【００８４】
ステップ２において、終端端末と移動通信端末との間の接続履歴があるか否かを判断する（Ｓ２１０）。
【００８５】
ステップ３において、接続履歴の判断ステップにおける判断の結果、接続履歴があると判断された場合に、接続履歴を呼び出す（Ｓ２２０）。
【００８６】
ステップ４において、終端端末が接続可能な移動通信端末のうち、接続履歴のある移動通信端末への接続品質を比較し、最適な接続品質を有する移動通信端末を推奨して端末に通知する（Ｓ２３０）。接続品質の比較は、移動通信端末制御部の処理速度、移動通信端末制御部が終端端末とサービスサーバーとの間の接続のために利用する制御部の占有率、終端端末とサービスサーバーとの間のデータの転送速度および終端端末とサービスサーバーとの間のデータの転送失敗率を含むデータを比較して行うが、各データに対して重み付け値を付与することが好ましい。また、データ転送料を比較して、最低のデータ転送料を有する移動通信端末も一緒に推奨して通知することが好ましい。
【００８７】
ステップ５において、接続履歴の判断ステップにおける判断の結果、接続履歴がないと判断された場合に、現在接続中の移動通信端末の他に接続可能な移動通信端末があるか否かを判断する（Ｓ２１２）。
【００８８】
ステップ６、ステップ５における判断の結果、接続可能な移動通信端末があると判断された場合に、現在接続中の移動通信端末への接続品質と、接続履歴のある移動通信端末への接続品質とを比較し、最適な接続品質を有する移動通信端末を推奨して端末に通知するステップ（Ｓ２３０）へ移行する。
【００８９】
ステップ７、ステップ５における判断の結果、接続可能な移動通信端末がないと判断された場合に、終端端末が現在の接続を維持し続ける（Ｓ２１４）。
【００９０】
ステップ８において、終端端末がサービスサーバーによって推奨された移動通信端末に接続するか否かを判断する（Ｓ２４０）。
【００９１】
ステップ９において、ステップ８における判断の結果、推奨の移動通信端末に接続すると判断された場合に、終端端末と推奨の移動通信端末との間の接続を許容する（Ｓ２５０）。
【００９２】
ステップ１０において、接続履歴を記憶する（Ｓ２６０）。
ステップ１１、ステップ８における判断の結果、推奨の移動通信端末に接続しないと判断された場合に、終端端末が現在の接続を維持し続け、接続履歴を記憶する（Ｓ２１４、Ｓ２６０）。
【００９３】
一方、このようなサービスサーバーによる効率よい接続経路の推奨方法は、記憶媒体にプログラムとして記憶される。
【００９４】
以下、図４に基づき、本発明の実施形態に係る効率よい接続経路に接続するための端末を説明する。
【００９５】
図４は、図１における端末の詳細ブロック図である。
図４に示すように、本実施形態に係る効率よい接続経路に接続するための端末１７０（以下、説明の便宜のために、特に言及のない限り、「効率よい接続経路に接続するための端末」は、「端末」と略称する。）における入力部１７２には、ユーザーの指令が入力される。入力部１７２としては、スイッチ、キーパッド、キーボード、タッチスクリーンなどの入力手段が挙げられる。
【００９６】
通信部１７１は、近距離通信網を介してデータを送受信する。
再生部１７３は、コンテンツを再生する。再生部としては、コンテンツの再生のためのコーデック処理部、音響処理部などが挙げられる。
【００９７】
制御部１７４は、各構成要素の動作を制御し、移動通信端末にコンテンツ要請信号を送信し、移動通信端末からコンテンツを受け取るように通信部１７１を制御し、サービスサーバーによって推奨された移動通信端末の情報を受信した場合に、入力部１７２を介して入力されたユーザーの指令に基づき、接続対象となる移動通信端末を切り替える。
記憶部１７５は、終端端末識別の情報と受信されたコンテンツなどを記憶する。
【００９８】
以下、図７に基づき、本発明の実施形態に係る端末による効率よい接続経路の接続方法を説明する。
【００９９】
図７は、本発明の実施形態に係る接続方法のフローチャートである。
図７に示すように、本実施形態に係る端末による効率よい接続経路の接続方法（以下、説明の便宜のために、特に言及のない限り、「端末による効率よい接続経路の接続方法」は、「接続方法」と略称する。）は、ステップ１において、近距離通信網を用いて移動通信端末を介してサービスサーバーに接続する（Ｓ３００）。
【０１００】
ステップ２において、サービスサーバーから推奨の接続経路を受信する（Ｓ３１０）。推奨の接続経路には、最適な接続効率を有する移動通信端末との接続経路と、最低のデータ転送料を有する移動通信端末との接続経路などが含まれる。
【０１０１】
ステップ３において、接続経路を切り替えるか否かを判断する（Ｓ３２０）。接続経路の切り替えは、ユーザーが入力部を介して入力した指令を基に行われる。
【０１０２】
ステップ４において、ステップ３における判断の結果、接続経路を切り替えると判断された場合に、現在の接続を解放し、推奨の接続経路による移動通信端末に接続経路を切り替える（Ｓ３３０）。
【０１０３】
ステップ５において、ステップ３における判断の結果、接続経路を切り替えないと判断された場合に、現在の接続を維持し続ける。
一方、このような端末による効率よい接続経路の接続方法は、記憶媒体にプログラムとして記憶される。
【０１０４】
以下、本発明の適用例を説明する。
ステップ１において、終端端末が第１の移動通信端末を介してサービスサーバーに接続される。このとき、第１の移動通信端末と終端端末とは最初に接続されることを想定している。
【０１０５】
ステップ２において、サービスサーバーは、終端端末が接続可能な全ての移動通信端末（第１の移動通信端末、第２の移動通信端末および第３の移動通信端末）に対して、最適な接続効率を有する移動通信端末と、最低のデータ転送料を有する移動通信端末とがどれであるかを判断する。本実施形態においては、第２の移動通信端末が最適な接続効率を有し、第３の移動通信端末が最低のデータ転送料を有する移動通信端末であると判断されたことを想定している。
【０１０６】
ステップ３において、サービスサーバーが判断結果を終端端末に送信する。
【０１０７】
ステップ４において、ユーザーは、終端端末の表示部を用いて判断結果を確認し、最適な接続効率が求められるコンテンツを利用するために、第１の移動通信端末との接続を解放し、第２の移動通信端末と接続するように端末を操作する。
【０１０８】
ステップ５において、サービスサーバーは、終端端末と第２の移動通信端末との間の接続を許容し、アプリケーションサーバーが終端端末にコンテンツを提供することを要請する。
【０１０９】
ステップ６において、終端端末がコンテンツを受け取る。このとき、課金サーバーは、コンテンツの受け取りを確認し、第２の移動通信端末に対して課金を行う。
【０１１０】
ステップ７において、ユーザーが最低のデータ転送料をかけてコンテンツを利用するために、第１の移動通信端末との接続を解放し、第３の移動通信端末と接続するように端末を操作する。
【０１１１】
ステップ８において、サービスサーバーは、終端端末と第３の移動通信端末との間の接続を承認し、アプリケーションサーバーが終端端末にコンテンツを提供することを要請する。
【０１１２】
ステップ９において、終端端末がコンテンツを受け取る。このとき、課金サーバーは、コンテンツの受け取りを確認し、第３の移動通信端末に対して課金を行う。
【０１１３】
以上、本発明の実施形態を添付図面に基づいて説明した。
しかしながら、本発明は上述した実施形態にのみ限定されるものではなく、必要に応じて、当業者によって、特許請求の範囲に開示された精神と思想内において様々な修正および変更が可能であることに留意されたい。
【産業上の利用可能性】
【０１１４】
本発明によれば、サービスサーバーが終端端末に接続可能な全ての移動通信端末に対して判断を行い、最適な接続品質を有する移動通信端末および／または最低のデータ転送料を有する移動通信端末を推奨することにより、終端端末を利用するユーザーは、自分の好みに応じて、適切な移動通信端末に接続することが可能となる。
【符号の説明】
【０１１５】
１００  推奨システム
１０１  有線通信網
１０２  移動通信網
１０３  近距離通信網
１１０  サービスサーバー
１２０  アプリケーションサーバー
１３０  課金サーバー
１４０、１５０、１６０  移動通信端末
１７０  終端端末
【図１】
0005466240.tif 000003
【図２】
0005466240.tif 000004
【図３】
0005466240.tif 000005
【図４】
0005466240.tif 000006
【図５】
0005466240.tif 000007
【図６】
0005466240.tif 000008
【図７】
0005466240.tif 000009
【図８】
0005466240.tif 000010